(57)【要約】【課題】本考案は、バインダー式写真アルバムを使用して、各人の過去の生涯に経た重要な出来事を、併載してあるその時代の歴史的・世俗的事柄等を背景に、自ら記載して記録することができる年譜表と、その年譜表に絡む記念の写真や貴重な資料等を添付ファイルできる写真貼付台紙を併合して記録・整理でき、且つ暦年年譜表の抜き差しや写真貼付台紙の差し替え等が可能な便利にして多角的な構成から成る、抜き差し可能な記入式年譜アルバムの提供を課題として案出されたものである。【解決手段】バインダー式写真アルバムを使用することで、同バインダーに適応する差し込み穴を施した年譜表を併合することができ、且つ、自分の生誕以前の不要な年譜表を除外したり、また新たな年の年譜表を追加差し込みがでるようになり、加えてバインダー式写真アルバムに差し組まれている写真貼付台紙に当該年譜表に係わる写真や貴重な資料を貼付して添付ファイルすることができる、抜き差し可能な記入式年譜アルバムのシステムを構成することができた。【選択図】　　図１
0003098478.tif 000002
【実用新案登録請求の範囲】
【請求項１】
バインダー式写真アルバムを使用し、アルバムの写真貼付台紙と、同バインダー対応の差し込み穴をあけた暦年の年譜表とが併合されてから成る抜き差し可能な記入式年譜アルバム。
【請求項２】
年譜表は、各人の過去の生涯に経た重要な出来事を自ら記載することができる年譜欄や当該年の国内外の主要な歴史上の事柄を記載した歴史的事象欄・世俗的に印象深い諸般の事象を記載したメモリー欄・国内の主な経済指標を継続的に表記した経済指標欄等を画一したレイアウトで編集されて印刷したフォーマットの年譜表から成る請求項１記載の抜き差し可能な記入式年譜アルバム。
【請求項３】
請求項２の抜き差し可能な記入式年譜アルバムの年譜表の構成は、最近年から適宜前年までの暦年年譜表を基本的構成として商品化されるが、購入者の不要な暦年年譜表が抜き外しできたり、購入後も前記の請求項２と同じフォーマットの新たな年の年譜表を追加差し込みできるシステムから成る抜き差し可能な記入式年譜アルバム。
【考案の詳細な説明】
【０００１】
【考案の属する技術分野】
本考案は、各人が直近の日々に経た事柄を記述しておく日記帳等と類を共にするが、その機能性において逆転の発想によるもので、各人が人生の後年にあって改めて自分の生涯に係わった重要な出来事や思い出深い事柄をその時代の様々な事象を背景として多角的に整理・記録することができる、簡易にして便利な人生整理帳であり、多角的な自分史アルバムでもある記入式年譜アルバムに関するものである。
【０００２】
【従来の技術】
従来より、各人が人生の後年にあって過去の生涯の出来事を記述できる欄と、併せて当該年の世情の事柄が記載されている年譜表から成る、「自分史年表」（商品名）や「自分の年表」（商品名）等が市販されたが、いずれも暦年の年表の綴じ込みが、糊付け帳合い方式から成る書籍的冊子状のものが多い。
また、同類でバインダー式の「自分誌」（商品名）もあるが、いずれも写真や資料等を貼付する台紙が具備されていない。
【０００３】
【考案が解決しようとする課題】
従来の年譜表冊子の年譜表の綴じ込みが、糊付け帳合い方式のために、使用者の不要な暦年年譜表の抜き外しの選択ができず、また新たな年の年譜表の追加差し込みができない仕様となっている。
【０００４】
また、従来の同類年譜表冊子でバインダー式のものもあるが、いずれも写真や資料等を貼付する台紙が具備されていないために、当該年の年譜表に係わる写真や資料等を併合して記録保存出来ない仕様となっている。
【０００５】
そこで、本考案は、従来あった上述の同類年譜表冊子の不備なる仕様に鑑み、年譜表と写真貼付台紙を併合した抜き差し可能な記入式年譜アルバムの提供を課題として案出されたものである。
【０００６】
【課題を解決するための手段】
このため、本考案は、バインダー式写真アルバムを使用して、アルバムの写真貼付台紙と、同バインダー対応の差込穴をあけた暦年の年譜表とを併合構成して上述した課題を解決した。
【０００７】
【実施例】
本考案の請求項１、２、３に基づいた実施例として、Ａ４判型・ＪＩＳ規格３０穴対応も可能な１０穴式バインダーを具備したバインダー式写真アルバムを使用して、写真貼付台紙と同バインダー対応の１０穴の差し込み穴をあけたＡ４判のフォーマットから成る暦年年譜表を併合構成した抜き差し可能な記入式年譜アルバムの実例を以下の図面を参照して説明する。
【０００８】
図１は、上記したバインダー式写真アルバムに上記の暦年年譜表群を差し込んだ状態を表した、抜き差し可能な記入式年譜アルバムの見開きの斜視図である。
【０００９】
即ち、先ずバインダー式写真アルバムは、Ａ４判型・ＪＩＳ規格３０穴対応ながら、簡易に開閉できる開閉具３を装備の１０穴用バインダー２を具備し、厚紙に化粧布地を覆ったアルバム・カバーフォールダー１から成る写真アルバムの後部に、同バインダー対応１０穴の写真貼付台紙４が暦年年譜表枚数対応の枚数によって編成された写真貼付台紙群としてバインダーに差し込まれる。
【００１０】
次に、アルバム・カバーフォールダーの前部に請求項１、２、３記載に基づいた暦年年譜表群５が差し込まれて、抜き差し可能な記入式年譜アルバムと成る。
【００１１】
また、請求項３に記載した不要な暦年年譜表の抜き外しや、新たな年の年譜表の追加差し込みは、開閉具３を操作し、バインダー２を開閉して実施できる。
【００１２】
図２は、請求項２記載に基づいた年譜表フォーマットの実例を縮小した正面図である。以下に図面を参照に説明する。
【００１３】
当年譜表は、Ａ４判・ＪＩＳ規格３０穴対応ながら、上述した１０穴用のバインダーに対応した１０穴の差し込み穴６を施したＡ４判用紙７の上面に、当該年の暦年表示欄８と、各人が自分の年譜事項を容易に記入するために点罫線が施された年譜記入欄９と、その右側に当該年にあった主要な日本と世界の事柄を暦月日順に列記した歴史的事象欄１０を配置し、下面に当該年にあったマスコミ話題と主なスポーツ記録を列記したメモリー欄１１を配し、その下段に当該年の主な経済指標としてのＧＤＰ、物価指数等を列記した経済指標欄１２を配して編集され、印刷したフォーマットから成る年譜表である。
【００１４】
当記入式年譜アルバムの使用者は、自分の生誕年を基点として、もしくはその数年前の年譜表から最近年までの各年譜表に併記してある歴史的事柄や懐かしいメモリーを背景に、自分を主体に親兄弟、自家族の年譜項目や想い出でを記入することになるが、年譜記入欄に書ききれない場合は、市販のＡ４判ＪＩＳ規格３０穴の罫欄用紙を使用して補記し、当該年年譜表の側に差し込みファイルすることができる。
【００１５】
写真貼付台紙には、当該年に係わる記念の写真や貴重な資料、例えば小学校時代の成績通信簿や各種の賞状等を縮小コピーして貼付することができる。
【００１６】
また、写真貼付台紙は当該年の年譜表の側に移し替えて、当年譜アルバムを構成することができる。
【００１７】
年譜表の年譜記入欄への記入には、各自の直筆による手書きによる方が個性的で味わいある年譜記述録となるが、活字での記述録としたい場合は、年譜記入欄の書式設定に沿ってパソコンのワープロで打ち込み、当該年の年譜表を当年譜アルバムから外してパソコンに併設するプリンターに設置して、ワープロ印刷することができる。
【００１８】
【考案の効果】
近年にあって、わが国の人口構成にみるごとく人生８０年の時代となり、自由業者であれ勤め人であれ還暦を過ぎて現職を離れての年頃になると、その熟年層の大方の各人はまだ健康的で生活の時間的余裕もあつて、改めて今までの人生生涯に経た様々な追憶の事柄を整理し、出来ればそれをシステマティックに記録保存して置きたいものだとの願望が芽生えてくる。しかし、その整理をサポートしてくれる適切で便利な整理帳が余りにも少なかったきらいがあった、そこで各人が生まれてからこの方の生涯にあった重要な事柄や懐かしい想い出を簡単に記入できて、その上、その時代の歴史的事柄や世俗的に印象深いメモリーや主な経済指標等が添欄してあれば各人の記載事項と内容がより効果的な年譜表として保存され、加えて、その当該年譜表に係わる記念写真や貴重な様々な資料もファイルできる台紙も併合してあれば殊更便利なものとなり、更に新たな年の年譜表がその都度追加できるシステムを備えた、そのような整理帳が望まれてるものと思考して本考案が生まれた。
【図面の簡単な説明】
【図１】バインダー式写真アルバムを使用した、抜き差し可能な記入式年譜
アルバムの見開き斜視図である。
【図２】年譜表フォーマットの実例を縮小した正面図である。
【符号の説明】
１　　アルバム・カバーフォールダー
２　　バインダー
３　　バインダー開閉具
４　　写真貼付台紙
５　　年譜表
６　　バインダー対応の１０穴の差込穴
７　　Ａ４判用紙
８　　暦年表示欄
９　　年譜記入欄
１０　　歴史的事象欄
１１　　メモリー欄
１２　　経済指標欄
【図１】
0003098478.tif 000003
【図２】
0003098478.tif 000004